【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
規定電位を有するＰＷＭ駆動信号を規定する工程であって、前記ＰＷＭ駆動信号は、微量原料サブシステムと関連するポンプアセンブリの流量を、少なくとも部分的に、制御する第１のデューティーサイクルを規定する複数の「オン」部分と複数の「オフ」部分とを有する工程と；
前記ＰＷＭ駆動信号の前記「オン」部分の少なくとも一部をパルス幅変調して、前記ＰＷＭ駆動信号の前記「オン」部分の少なくとも一部に第２のデューティーサイクルを規定する工程であって、前記第２のデューティーサイクルは、前記ポンプアセンブリに作用する前記規定電位の割合を、少なくとも部分的に、制御し、前記ポンプアセンブリは前記ポンプアセンブリを通る流量を制御するために前記第２のデューティーサイクルで制御される、工程と；
流量計測装置を用いて配管／コントロール・サブシステムにより生成される第２の流量を計測する工程と；
流量フィードバック信号をフィードバックコントローラシステムに提供する工程であって、前記フィードバックコントローラシステムは前記流量フィードバック信号を所望の流量容積と比較する、工程とを備える；
方法。
【請求項２】
前記ポンプアセンブリがソレノイドピストン・ポンプである；
請求項１の方法。
【請求項３】
前記ポンプアセンブリが飲料ディスペンサ・システム内で使用されるように構成された；
請求項１または請求項２の方法。
【請求項４】
前記ポンプアセンブリが製品容器に着脱可能に係合するように構成された；
請求項１ないし請求項３のいずれか１項の方法。
【請求項５】
前記ポンプアセンブリが製品モジュール・アセンブリに固く結合された；
請求項１ないし請求項４のいずれか１項の方法。
【請求項６】
前記規定電位が２８ＶＤＣである；
請求項１ないし請求項５のいずれか１項の方法。
【請求項７】
前記ＰＷＭ駆動信号の前記「オン」部分の少なくとも１つが、約１５ミリ秒の期間を有する；
請求項１ないし請求項６のいずれか１項の方法。
【請求項８】
前記ＰＷＭ駆動信号の前記「オフ」部分の少なくとも１つが、１５〜１８５ミリ秒の範囲内の期間を有する；
請求項１ないし請求項７のいずれか１項の方法。
【請求項９】
前記第２のデューティーサイクルは、５０〜１００％の範囲内である；
請求項１ないし請求項８のいずれか１項の方法。
【請求項１０】
記憶された複数の命令を有するコンピュータ可読媒体に備わるコンピュータプログラムであって、プロセッサで実行されるとプロセッサに：
規定電位を有するＰＷＭ駆動信号を規定することであって、前記ＰＷＭ駆動信号は、微量原料サブシステムと関連するポンプアセンブリの流量を、少なくとも部分的に、制御する第１のデューティーサイクルを規定する複数の「オン」部分と複数の「オフ」部分とを有することと；
前記ＰＷＭ駆動信号の前記「オン」部分の少なくとも一部をパルス幅変調して、前記ＰＷＭ駆動信号の前記「オン」部分の少なくとも一部に第２のデューティーサイクルを規定することであって、前記第２のデューティーサイクルは、前記ポンプアセンブリに作用する前記規定電位の割合を、少なくとも部分的に、制御し、前記ポンプアセンブリは前記ポンプアセンブリを通る流量を制御するために前記第２のデューティーサイクルで制御されることと；
流量計測装置を用いて配管／コントロール・サブシステムにより生成される第２の流量を計測することと；
流量フィードバック信号をフィードバックコントローラシステムに提供することであって、前記フィードバックコントローラシステムは前記流量フィードバック信号を所望の流量容積と比較することとを備えるオペレーションを実施させる；
コンピュータプログラム。
【請求項１１】
前記ポンプアセンブリがソレノイドピストン・ポンプである；
請求項１０のコンピュータプログラム。
【請求項１２】
前記ポンプアセンブリが飲料ディスペンサ・システム内で使用されるように構成された；
請求項１０または請求項１１のコンピュータプログラム。
【請求項１３】
前記ＰＷＭ駆動信号の前記「オン」部分の少なくとも１つが、約１５ミリ秒の期間を有する；
請求項１０ないし請求項１２のいずれか１項のコンピュータプログラム。
【請求項１４】
前記ＰＷＭ駆動信号の前記「オフ」部分の少なくとも１つが、１５〜１８５ミリ秒の範囲内の期間を有する；
請求項１０ないし請求項１３のいずれか１項のコンピュータプログラム。
【請求項１５】
前記第２のデューティーサイクルは、５０〜１００％の範囲内である；
請求項１０ないし請求項１４のいずれか１項のコンピュータプログラム。
【請求項１６】
規定電位を有するＰＷＭ駆動信号を規定する工程であって、前記ＰＷＭ駆動信号は、飲料ディスペンサ・システム内に含まれ微量原料サブシステムと関連するポンプアセンブリの流量を、少なくとも部分的に、制御する第１のデューティーサイクルを規定する複数の「オン」部分と複数の「オフ」部分とを有する工程と；
前記ＰＷＭ駆動信号の前記「オン」部分の少なくとも一部をパルス幅変調して、前記ＰＷＭ駆動信号の前記「オン」部分の少なくとも一部に第２のデューティーサイクルを規定する工程であって、前記第２のデューティーサイクルは、前記ポンプアセンブリに作用する前記規定電位の割合を、少なくとも部分的に、制御し、前記ポンプアセンブリは前記ポンプアセンブリを通る流量を制御するために前記第２のデューティーサイクルで制御される工程と；
流量計測装置を用いて配管／コントロール・サブシステムにより生成される第２の流量を計測することと；
流量フィードバック信号をフィードバックコントローラシステムに提供する工程であって、前記フィードバックコントローラシステムは前記流量フィードバック信号を所望の流量容積と比較する工程とを備える；
方法。
【請求項１７】
前記ポンプアセンブリがソレノイドピストン・ポンプである；
請求項１６の方法。
【請求項１８】
前記ポンプアセンブリが製品容器に着脱可能に係合するように構成された；
請求項１６または請求項１７の方法。
【請求項１９】
前記ポンプアセンブリが製品モジュール・アセンブリに固く結合された；
請求項１６ないし請求項１８のいずれか１項の方法。
【請求項２０】
前記ＰＷＭ駆動信号の前記「オン」部分の少なくとも１つが、約１５ミリ秒の期間を有し；
前記ＰＷＭ駆動信号の前記「オフ」部分の少なくとも１つが、１５〜１８５ミリ秒の範囲内の期間を有し；
前記第２のデューティーサイクルは、５０〜１００％の範囲内である；
請求項１６ないし請求項１９のいずれか１項の方法。
【請求項２１】
前記フィードバックコントローラシステムは、コントロールロジック・サブシステムからコントロール信号を受信するように構成された軌道成形コントローラを含む；
請求項１ないし請求項９のいずれか１項の方法。
【請求項２２】
前記軌道成形コントローラは、コントロール曲線にフィルタをかけ、流量コントローラで処理されるようになされた滑らかなコントロール曲線を形成する；
請求項２１の方法。
【請求項２３】
前記フィードバックコントローラシステムは、コントロールロジック・サブシステムからコントロール信号を受信するように構成された軌道成形コントローラを含む；
請求項１０ないし請求項１５のいずれか１項のコンピュータプログラム。
【請求項２４】
前記軌道成形コントローラは、コントロール曲線にフィルタをかけ、流量コントローラで処理されるようになされた滑らかなコントロール曲線を形成する；
請求項２３のコンピュータプログラム。
【請求項２５】
前記フィードバックコントローラシステムは、コントロールロジック・サブシステムからコントロール信号を受信するように構成された軌道成形コントローラを含む；
請求項１６ないし請求項２０のいずれか１項の方法。
【請求項２６】
前記軌道成形コントローラは、コントロール曲線にフィルタをかけ、流量コントローラで処理されるようになされた滑らかなコントロール曲線を形成する；
請求項２５の方法。